(57)【要約】【課題】  土木構造体側の負担軽減を有効に図った既設ゲート改造方法を提供する。【解決手段】  水路２からの合流部に配設された既設ゲート３の扉体５を、河川１側に連通させるための連通開口５ａおよび連通ガイド筒１０を有する構造に変更する。水中ポンプ１４を昇降案内するためのガイドレール１３を水路２の側面に立設する。扉体５による合流部の閉姿勢で、チェーンブロック２１によりガイドレール１３に沿って水中ポンプ１４を下降操作し、水路２の底面２ｂ上に水中ポンプ１４がスタンド部１７により自立した状態で、水中ポンプ１４が扉体５の連通ガイド筒１０に接合するようにした。【選択図】    図１
2007211451.tif 000002
【特許請求の範囲】
【請求項１】
流路における支流からの合流部に配設された既設ゲートの扉体を、本流側に連通させるための連通開口部を有する扉体に変更し、該扉体による合流部の閉姿勢で、昇降装置により水中ポンプを下降操作して、水中ポンプを扉体の連通開口部に接合可能とした既設ゲート改造方法において、
前記水中ポンプを昇降案内するためのガイドレールを前記流路に立設し、前記昇降装置によりガイドレールに沿って水中ポンプを下降操作して、水中ポンプのスタンド部により自立した状態で、水中ポンプが前記扉体の前記連通開口部に接合することを特徴とする既設ゲート改造方法。
【請求項２】
流路における支流からの合流部に配設された扉体に、本流側に連通させるための連通開口部が設けられ、扉体による合流部の閉姿勢で昇降操作自在な水中ポンプが設けられ、水中ポンプの下降位置で、水中ポンプが扉体の連通開口部に接合されるポンプゲートにおいて、
前記水中ポンプに自立用のスタンド部が設けられ、水中ポンプを昇降案内するためのガイドレールが前記流路に立設され、昇降装置によるガイドレールに沿った水中ポンプの前記下降位置で、水中ポンプがスタンド部により自立状態とされると共に、水中ポンプが前記扉体の前記連通開口部に接合されることを特徴とするポンプゲート。
【請求項３】
請求項２に記載のポンプゲートにおいて、
前記水中ポンプにおける前記連通開口部に対する接合面が下向傾斜状に形成されると共に、連通開口部における水中ポンプに対する接合面が水中ポンプの接合面に対向する上向傾斜状に形成され、水中ポンプの前記接合面部分と連通開口部の前記接合面部分との少なくともいずれか一方が伸縮性を有する可撓性部材からなることを特徴とするポンプゲート。
【請求項４】
請求項２または請求項３に記載のポンプゲートにおいて、
前記ガイドレールに、前記水中ポンプの自立状態でガイドレールに沿って摺動される水中ポンプのスライド部に当接して水中ポンプを位置固定するためのくさび部が張り出し形成されていることを特徴とするポンプゲート。
【請求項５】
請求項２ないし請求項４のいずれかに記載のポンプゲートにおいて、
前記ガイドレールに沿って摺動される水中ポンプのスライド部とガイドレールとの相互の摺動面における少なくともいずれか一方が低摩擦材からなることを特徴とするポンプゲート。
【請求項６】
請求項２ないし請求項５のいずれかに記載のポンプゲートにおいて、
前記ガイドレールが前記流路の側面に立設されると共に、ガイドレールの上流側側面が流路中央方向に対して少なくとも上流側に傾斜する側面部分を有していないことを特徴とするポンプゲート。
【発明の詳細な説明】
【技術分野】
【０００１】
本発明は、河川等の水路を開閉するための既設ゲートを改良する既設ゲート改造方法およびポンプゲートに関するものである。
【背景技術】
【０００２】
例えば、河川における本川と支川との合流部には、本川の水位が支川の水位より高くなった場合の逆流を防止するために、開閉操作自在とされたゲートを備えた構造のものがあった。
【０００３】
しかしながら、大雨等の場合に支川側で氾濫のおそれがあっても、本川の水位が支川の水位よりも高い場合には、ゲートを開放することができず、支川側の水を下流側に有効に排水できないという問題があった。
【０００４】
これに対し、支川側の水を本川側に強制的に吐出するための水中ポンプがゲートの扉体に備えられた構造のポンプゲートにおいては、本川の水位が支川の水位よりも高い場合であっても有効に排水することができ、支川側での氾濫を有効に防止できる利点がある。
【０００５】
一方、当初は本川から支川への逆流防止を目的として開閉操作自在なゲートを設置したが、その後の住環境等の変化により、支川側の流量が増大し、ゲートの閉状態で支川側から本川側に強制的な吐出が必要となる場合があり、ポンプゲートに変更したいという要望がある。
【０００６】
このような場合、既存のゲートにおける扉体に、単に水中ポンプを一体的に取り付け、昇降操作自在な構造とすれば、既存のゲート躯体等の土木構造体側の負担が大きくなり、土木構造体の強度不足や昇降装置の能力不足が問題となり、また、既存のゲートを取り壊して、新たなポンプゲートを建設する方法によれば、大掛かりな工事となって、多大な建設費や長期の工期を要する欠点があった。
【０００７】
そこで、既存のゲートを取り壊すことなく、少ない建設費、短い工期でポンプゲートに改造する方法が提案されている（例えば、特許文献１参照。）。
【０００８】
この改造方法によれば、既存のゲートの扉体を吸入口を有するように変更し、ゲートの躯体とは別に水中ポンプ支持部を設け、水中ポンプ支持部が水中ポンプを移動可能に支持し、扉体の閉位置で水中ポンプを吸入口に合致可能とした構造とされていた。
【０００９】
従って、水中ポンプが水中ポンプ支持部によって独立して移動可能とされているため、既存の扉体の昇降装置に負担がかからない利点がある。
【００１０】
【特許文献１】特開２００５−３１４９２９号公報
【発明の開示】
【発明が解決しようとする課題】
【００１１】
しかしながら、上記特許文献１に開示の下降操作により水中ポンプを吸入口に合致させる改造方法やポンプゲートによれば、水中ポンプをいわゆる宙吊り状態で保持する構造のため、水中ポンプ支持部や支持部駆動機構および水中ポンプ自体を、土木構造体としてのゲートの躯体側で常時、支持する構造となり、躯体側の負担が大きく、強度不足の問題がある。
【００１２】
そこで、本発明は上記問題点に鑑み、土木構造体側の負担軽減を有効に図った既設ゲート改造方法およびポンプゲートを提供することを目的とする。
【課題を解決するための手段】
【００１３】
上記課題を解決するための既設ゲート改造方法の技術的手段は、流路における支流からの合流部に配設された既設ゲートの扉体を、本流側に連通させるための連通開口部を有する扉体に変更し、該扉体による合流部の閉姿勢で、昇降装置により水中ポンプを下降操作して、水中ポンプを扉体の連通開口部に接合可能とした既設ゲート改造方法において、前記水中ポンプを昇降案内するためのガイドレールを前記流路に立設し、前記昇降装置によりガイドレールに沿って水中ポンプを下降操作して、水中ポンプのスタンド部により自立した状態で、水中ポンプが前記扉体の前記連通開口部に接合する点にある。
【００１４】
また、上記課題を解決するためのポンプゲートの技術的手段は、流路における支流からの合流部に配設された扉体に、本流側に連通させるための連通開口部が設けられ、扉体による合流部の閉姿勢で昇降操作自在な水中ポンプが設けられ、水中ポンプの下降位置で、水中ポンプが扉体の連通開口部に接合されるポンプゲートにおいて、前記水中ポンプに自立用のスタンド部が設けられ、水中ポンプを昇降案内するためのガイドレールが前記流路に立設され、昇降装置によるガイドレールに沿った水中ポンプの前記下降位置で、水中ポンプがスタンド部により自立状態とされると共に、水中ポンプが前記扉体の前記連通開口部に接合される点にある。
【００１５】
さらに、前記水中ポンプにおける前記連通開口部に対する接合面が下向傾斜状に形成されると共に、連通開口部における水中ポンプに対する接合面が水中ポンプの接合面に対向する上向傾斜状に形成され、水中ポンプの前記接合面部分と連通開口部の前記接合面部分との少なくともいずれか一方が伸縮性を有する可撓性部材からなる構造としてもよい。
【００１６】
また、前記ガイドレールに、前記水中ポンプの自立状態でガイドレールに沿って摺動される水中ポンプのスライド部に当接して水中ポンプを位置固定するためのくさび部が張り出し形成されている構造としてもよい。
【００１７】
さらに、前記ガイドレールに沿って摺動される水中ポンプのスライド部とガイドレールとの相互の摺動面における少なくともいずれか一方が低摩擦材からなる構造としてもよい。
【００１８】
また、前記ガイドレールが前記流路の側面に立設されると共に、ガイドレールの上流側側面が流路中央方向に対して少なくとも上流側に傾斜する側面部分を有していない構造としてもよい。
【発明の効果】
【００１９】
以上のように、本発明の既設ゲート改造方法によれば、水中ポンプを昇降案内するためのガイドレールを流路に立設し、昇降装置によりガイドレールに沿って水中ポンプを下降操作して、水中ポンプのスタンド部により自立した状態で、水中ポンプが扉体の連通開口部に接合する方法であり、既設のゲートを取り壊すことなく、少ない建設費、短い工期でポンプゲートに改造できると共に、既設の扉体の昇降装置にも負担がかからないという利点を有するだけでなく、水中ポンプがそのスタンド部により自立した状態で、水中ポンプと扉体の連通開口部とが接合するため、水中ポンプ自体の重量は地面側で支えることができ、ゲートの躯体等の既設の土木構造体側に対する負担の軽減も有効に図れるという利点がある。
【００２０】
また、本発明のポンプゲートによれば、水中ポンプに自立用のスタンド部が設けられ、水中ポンプを昇降案内するためのガイドレールが流路に立設され、昇降装置によるガイドレールに沿った水中ポンプの下降位置で、水中ポンプがスタンド部により自立状態とされると共に、水中ポンプが扉体の連通開口部に接合される構造とされており、水中ポンプのスタンド部による自立状態で、水中ポンプと扉体の連通開口部とが接合されるため、水中ポンプ自体の重量は地面側で支えることができ、ゲートの躯体等の土木構造体側に対する負担の軽減が有効に図れるという利点がある。
【００２１】
さらに、水中ポンプにおける連通開口部に対する接合面が下向傾斜状に形成されると共に、連通開口部における水中ポンプに対する接合面が水中ポンプの接合面に対向する上向傾斜状に形成され、水中ポンプの接合面部分と連通開口部の接合面部分との少なくともいずれか一方が伸縮性を有する可撓性部材からなる構造とすれば、相互の接合面同士の接合に際して、良好な密着状態が有効に確保できるという利点がある。
【００２２】
また、ガイドレールに、水中ポンプの自立状態でガイドレールに沿って摺動される水中ポンプのスライド部に当接して水中ポンプを位置固定するためのくさび部が張り出し形成されている構造とすれば、水中ポンプの自立位置におけるガタツキが有効に防止でき、水中ポンプと連通開口部との接合部分における圧漏れが有効に防止できる。
【００２３】
さらに、ガイドレールに沿って摺動される水中ポンプのスライド部とガイドレールとの相互の摺動面における少なくともいずれか一方が低摩擦材からなる構造とすれば、水中ポンプの昇降操作時におけるスライド部とガイドレールとの相互間の摺動性が良好に確保できる利点がある。
【００２４】
また、ガイドレールが流路の側面に立設されると共に、ガイドレールの上流側側面が流路中央方向に対して少なくとも上流側に傾斜する側面部分を有していない構造とすれば、ガイドレールに対するゴミ等の流下物の引っ掛かりが有効に防止できる利点がある。
【発明を実施するための最良の形態】
【００２５】
以下、本発明の第１の実施形態を図面に基づいて説明すると、図１および図２に示されるように、流路における本流側としての河川（本川）１と支流側としての水路（支川）２との合流部に、ゲート３が配設されており、該ゲート３は、河川１側と水路２側とを開閉操作自在に仕切るための扉体５と、該扉体５を昇降操作するための扉体昇降装置６と、扉体５を昇降案内するためのガイド部７ａや扉体昇降装置６が設置される支持台部７ｂを有するゲート躯体７とを備えた構造とされている。
【００２６】
扉体５と扉体昇降装置６とは昇降ロッド８を介して連結されており、扉体昇降装置６を操作することによって、扉体５が両側のガイド部７ａに沿って上下方向に昇降操作されるように構成されている。なお、扉体５が下降位置とされた閉姿勢においては、河川１と水路２との合流口９を閉塞状に仕切るべく、従来同様、液密状に当接する適宜シール構造が配設されている。
【００２７】
また、本実施形態においては、扉体５の適宜位置に河川１側と水路２側とを連通させるための円形等の連通開口５ａが形成されると共に、扉体５の上流側には、連通開口５ａに連通状として円筒状等の金属製等からなる連通ガイド筒１０が着脱自在に装着されている。ここに、連通ガイド筒１０は扉体５と共に一体的に昇降操作され、連通開口５ａおよび連通ガイド筒１０により河川１側と水路２側とを連通させる連通開口部を構成している。
【００２８】
前記連通ガイド筒１０内の中間部には、フラップ弁１１が揺動可能に備えられており、下流側、即ち河川１側への排水が可能に構成されている。なお、水路２側への逆流を防止すべく、連通ガイド筒１０内周面側とフラップ弁１１との相互間には、河川１側からの水圧により液密状に閉塞される適宜シール構造が配設されている。
【００２９】
さらに、連通ガイド筒１０の上流側端面である接合面１０ａは、図３にも示されるように、側面視で適宜角度傾斜した、上向傾斜状に形成されている。
【００３０】
連通ガイド筒１０の配置位置よりも少し上流側に位置した水路２の両側面２ａを構成する土木構造体１２に沿って、上下方向にガイドレール１３がそれぞれ立設されている。そして、これら両ガイドレール１３に沿って、水中ポンプ１４が昇降操作自在に配設される構造とされている。
【００３１】
即ち、水中ポンプ１４の両側面には、それぞれ上下に離隔して一対のスライド部材としてのスライド杆１５，１６が側方突出状に装着されており、各スライド杆１５，１６の突出端には、ガイドレール１３に対して上下方向に摺動自在に係合されるスライド部１５ａ，１６ａが形成されている。この際、ガイドレール１３とスライド杆１５，１６との少なくともいずれか一方が滑り特性に優れる低摩擦材としての樹脂製、例えば耐摩耗性、耐衝撃性、滑り特性等に優れる超高分子量ポリエチレン（ＵＨＭＷ）等により構成されている。なお、互いの摺動面であるスライド部１５ａ，１６ａやガイドレール１３の表面部分の少なくともいずれか一方を低摩擦材で構成してもよい。そして、本実施形態では、各ガイドレール１３がＵＨＭＷで構成されている。
【００３２】
各ガイドレール１３は図２、図５および図７に示されるように、断面矩形状に形成されており、ガイドレール１３の上流側の側面および下流側に側面は、水路２の中央方向に対して延び、流れ方向に直交する直交面とされている。そして、各スライド杆１５，１６の各スライド部１５ａ，１６ａは、各ガイドレール１３に嵌合状に係合すべく、対応する凹溝状に形成されている。
【００３３】
また、水中ポンプ１４の下面側には、水中ポンプ１４の安定した自立状態が確保できるように自立用のスタンド部１７が備えられており、本実施形態では、スタンド部１７は前後左右の４本の脚体から構成されている。
【００３４】
さらに、水中ポンプ１４の吐出口側の端部には、伸縮性を有する可撓性部材としてのゴム等の弾性材料からなる筒状の吐出口部１８が備えられており、吐出口部１８の下流側端面である接合面１８ａは、図３に示されるように、連通ガイド筒１０の接合面１０ａに対向すべく、接合面１０ａの傾斜角度に対応して、側面視で適宜角度傾斜した、下向傾斜状に形成されている。
【００３５】
そして、各ガイドレール１３に沿って水中ポンプ１４を下降操作し、図１に示されるように、水路２の川底である底面２ｂに各スタンド部１７が当接した最下降位置で、水中ポンプ１４が各スタンド部１７により自立した自立状態が得られると共に、吐出口部１８の接合面１８ａと連通ガイド筒１０の接合面１０ａとが、吐出口部１８の弾性変形を介して互いに密着状に接合した状態が得られるように構成されている。なお、本実施形態においては、吐出口部１８は連通ガイド筒１０の肉厚よりも厚肉の筒状構造とされており、水中ポンプ１４の自立位置の誤差を吸収して密着状に接合可能な構造とされている。
【００３６】
また、本実施形態においては、水中ポンプ１４の自立状態において、各スライド杆１５，１６の各スライド部１５ａ，１６ａ位置に対応するガイドレール１３の各高さ位置には、それぞれくさび部１３ａ，１３ｂが張り出し形成されている。即ち、扉体５側の側面であるガイドレール１３の下流側側面には、下方向に向かって漸次突出量が多くなるくさび部１３ａ，１３ｂがそれぞれ張り出し形成されており、下側のくさび部１３ｂは上側のくさび部１３ａよりもより多く突出した構造とされている。一方、各くさび部１３ａ，１３ｂに対応する各スライド部１５ａ，１６ａの内面側も、図１、図３、図４および図５に示されるように、側面視で、各くさび部１３ａ，１３ｂの傾斜に対応する傾斜面に形成されている。
【００３７】
そして、下側のスライド杆１６のスライド部１６ａは、水中ポンプ１４の昇降操作時において、上側のくさび部１３ａを上下方向に通過可能とされ、水中ポンプ１４の下降操作時においては、各くさび部１３ａ，１３ｂと各スライド部１５ａ，１６ａとが互いに当接すると共に相互間の相対摺動により水中ポンプ１４は扉体５方向に僅かに移動されながら下降操作され、最下端位置における水中ポンプ１４の自立状態においては、各くさび部１３ａ，１３ｂがいわゆる各スライド部１５ａ，１６ａにそれぞれ食い込み状に当接し、各ガイドレール１３と各スライド部１５ａ，１６ａとの相互間の遊びをなくして位置決め固定される構造とされている。
【００３８】
また、水中ポンプ１４が配設された上方の地上側には、水路２の両側にまたがって適宜枠組み構成された架台２０を介してポンプ昇降装置としてのチェーンブロック２１が配置されており、チェーン２２を介して水中ポンプ１４が昇降操作自在に支持されている。
【００３９】
そして、合流口９を開放する場合には、チェーンブロック２１を操作して水中ポンプ１４を水路２よりも上方に退避させ、その後、扉体昇降装置６を操作して扉体５を合流口９よりも上方に退避させて開姿勢とすればよい。
【００４０】
また、合流口９を閉鎖する場合には、扉体昇降装置６を操作して扉体５を最下端位置まで下降させて合流口９を閉鎖した閉姿勢とし、その後、チェーンブロック２１を操作して水中ポンプ１４をガイドレール１３に沿って最下端位置まで下降させればよい。この状態においては、水中ポンプ１４が水路２の底面２ｂに自立した状態となっており、吐出口部１８の接合面１８ａと連通ガイド筒１０の接合面１０ａとが密着状に接合した状態が得られ、河川１側の水位が水路２側の水位よりも高い場合には、連通ガイド筒１０内の流路はフラップ弁１１で閉鎖された状態となる。
【００４１】
次に、水路２側の水を河川１側に強制排水する場合には、上記の合流口９閉鎖状態で水中ポンプ１４を駆動させればよい。この水中ポンプ１４の駆動により、水中ポンプ１４の上流側端部の吸込口部１４ａから吸引された水は、吐出口部１８、連通ガイド筒１０および連通開口５ａを通じて河川１側に吐出される。この際、連通ガイド筒１０内のフラップ弁１１は水中ポンプ１４によって吐出される水流によって開揺動される。
【００４２】
本実施形態のポンプゲートは以上のように構成されており、チェーンブロック２１によって昇降操作される水中ポンプ１４が、水路２の底面２ｂに各スタンド部１７によって自立した自立状態で、水中ポンプ１４における吐出口部１８の接合面１８ａと連通ガイド筒１０の接合面１０ａとが互いに接合する構造とされているため、水中ポンプ１４自体の重量は地面側で支持する構造となっており、ゲート躯体７等の土木構造体側で常時、水中ポンプの重量を支持する構造と比較して、土木構造体側に対する負荷の負担軽減が有効に図れる利点がある。
【００４３】
また、水中ポンプ１４を昇降操作するチェーンブロック２１を支持する架台２０も地面側で支持でき、この点からも土木構造体側に対する負荷の負担軽減が有効に図れる。
【００４４】
さらに、前述の従来と同様、水中ポンプ１４と扉体５とはそれぞれ独立して異なるチェーンブロック２１と扉体昇降装置６とで昇降操作する構造であり、扉体昇降装置６側に負担がかかることもない。
【００４５】
また、水中ポンプ１４側の吐出口部１８の接合面１８ａが下向傾斜状に形成されると共に、連通ガイド筒１０の接合面１０ａが接合面１８ａに対向する上向傾斜状に形成され、しかも吐出口部１８がゴム等の弾性材料からなる構造とされているため、相互の接合面１０ａ，１８ａ同士の接合に際して、吐出口部１８の弾性変形による良好な密着状態が有効に確保できるという利点がある。
【００４６】
さらに、水中ポンプ１４の自立状態において、各スライド杆１５，１６における各スライド部１５ａ，１６ａ位置に対応する両ガイドレール１３の各高さ位置に、位置決め固定用としてのくさび部１３ａ，１３ｂがそれぞれ形成された構造とされており、水中ポンプ１４の自立位置におけるガタツキが有効に防止でき、水中ポンプ１４駆動時において、水中ポンプ１４の吐出口部１８と連通ガイド筒１０との接合部分における圧漏れが有効に防止できる。この際、各くさび部１３ａ，１３ｂは、扉体５側の側面であるガイドレール１３の下流側側面に、下方向に向かって漸次突出量が多くなるようにそれぞれ張り出し形成された構造とされているため、水中ポンプ１４の下降操作時においては、各くさび部１３ａ，１３ｂと各スライド部１５ａ，１６ａとの相互間の相対摺動により水中ポンプ１４は扉体５方向に僅かに移動されながら下降操作され、相互の接合面１０ａ，１８ａ同士の密着状態がより確実に確保でき、従って、接合部分における圧漏れもより確実に防止できるという利点がある。
【００４７】
また、各ガイドレール１３が水路２の側面に立設されると共に、断面矩形状に形成されており、ガイドレール１３の上流側側面が水路２中央方向に対して少なくとも上流側に傾斜する側面部分を有していないため、ガイドレール１３に対するゴミ等の流下物の引っ掛かりが有効に防止できる利点がある。
【００４８】
さらに、ガイドレールが滑り特性の良好な低摩擦材としてのＵＨＭＷからなる構造とされているため、水中ポンプ１４の昇降操作時におけるスライド部１５ａ，１６ａとガイドレール１３との相互間の摺動性が良好に確保できる利点がある。
【００４９】
なお、上記実施形態においては、ガイドレール１３の断面が矩形状に形成された構造のものを示しているが、ガイドレール１３の上流側側面が水路２の中央方向に対して下流側に傾斜する傾斜面を有する断面台形状等であってもよく、ガイドレール１３の上流側側面が水路２中央方向に対して少なくとも上流側に傾斜する側面部分を有していなければよく、ガイドレール１３の断面は、四角形に限らず、その他の多角形や半円状等であってもよい。
【００５０】
また、前記ゲート３が河川１と水路２との合流部に配設され、開閉操作自在とされた既設ゲート３でり、この既設ゲート３を上記のようなポンプゲートに改造する場合には、扉体５を連通開口５ａや連通ガイド筒１０を備えた構造のものと交換するか、扉体５に連通開口５ａを形成して連通ガイド筒１０を取り付ければよい。そして、ガイドレール１３や架台２０を追加施工し、チェーンブロック２１で水中ポンプ１４をガイドレール１３に沿って昇降操作自在な構造とするだけでよい。従って、既設のゲート１３を取り壊すことなく、追加工事による少ない建設費、短い工期でポンプゲートに改造できると共に、既設の扉体５の扉体昇降装置６にも何ら負担がかからないという利点を有する。そして、前記ポンプゲートと同様の利点も発揮できる。
【００５１】
図８は第２の実施形態を示しており、前記第１の実施形態と同様構成部分は同一符号を付し、その説明を省略する。
【００５２】
即ち、第１の実施形態においては、川裏側に水中ポンプ１４を配置した構造のポンプゲートを示しているが、本実施形態においては、川表側に水中ポンプ１４を配置した構造のポンプゲートとされている。従って、扉体５の下流側に連通ガイド筒１０が着脱自在に装着された構造とされている。また、フラップ弁１１は連通ガイド筒１０内に備えられた構造とされている。
【００５３】
そして、水中ポンプ１４の吸込口側の端部には、伸縮性を有する可撓性部材としてのゴム等の弾性材料からなる筒状の吸込口部２６が備えられており、連通ガイド筒１０の下流側端面と吸込口部２６の上流側端面との接合部分は、第１の実施形態における連通ガイド筒１０と吐出口部１８との接合部分と同様に構成されている。
【００５４】
また、本実施形態におけるポンプ昇降装置としては、スピンドル２７を使用したスピンドル方式のポンプ昇降装置２８とされている。例えば、水中ポンプ１４の両側面に張出状にスライド杆１５，１６が装着され、各スライド杆１５，１６の張出方向中間部に、左右一対のスピンドル２７がそれぞれ上下方向から螺挿状に螺合された構造とされている。そして、ポンプ昇降装置２８の操作により、各スピンドル２７が正逆回転操作され、各スピンドル２７の正逆回転に伴って、水中ポンプ１４が昇降操作されるように構成されている。なお、スライド杆１５，１６は第１の実施形態と同様に、水路２両側の両ガイドレール１３に係合して昇降される。
【００５５】
従って、本実施形態においても、第１の実施形態と同様の効果を奏する。
【００５６】
なお、上記各実施形態において、連通ガイド筒１０の接合面１０ａに接合される吐出口部１８や吸込口部２６がゴム等の弾性部材からなる構造を示しているが、連通ガイド筒１０側を弾性部材等の可撓性部材で構成してもよい。さらには、連通ガイド筒１０側と、吐出口部１８もしくは吸込口部２６の双方を弾性部材等の可撓性部材で構成してもよい。
【００５７】
また、扉体昇降装置６やポンプ昇降装置として、昇降ロッド８方式やチェーンブロック２１方式やスピンドル２７方式の昇降装置を使用した構造を示しているが、ラック・ピニオン方式等その他の昇降方式であってもよい。
【００５８】
さらに、水中ポンプ１４として横軸方式のものを採用しているが、縦軸方式であってもよく、さらには、軸流式や斜流式や遠心式等であってもよく、何ら限定されない。
【００５９】
また、扉体昇降装置６やチェーンブロック２１やポンプ昇降装置２８が手動により操作する構造のものを示しているが、これらが自動で昇降駆動操作される方式であってもよい。この場合において、合流口９の前記閉鎖された状態では、水中ポンプ１４の上昇駆動操作に先立つ扉体５の上昇駆動操作が禁止され、合流口９の前記開放された状態では、扉体５の下降駆動操作に先立つ水中ポンプ１４の下降駆動操作が禁止されるようなインタロック制御方式とすればよい。
【００６０】
さらに、水中ポンプ１４に備えられたスライド部材やスタンド部の形状や構造も、実施形態のスライド杆１５，１６やスタンド部１７の形状や構造に何ら限定されない。
【図面の簡単な説明】
【００６１】
【図１】本発明の第１の実施形態にかかる概略側断面図である。
【図２】図１のII−II線概略矢視図である。
【図３】水中ポンプの昇降動作説明図である。
【図４】上側のスライド杆とガイドレールとの関係を示す説明図である。
【図５】同平面説明図である。
【図６】下側のスライド杆とガイドレールとの関係を示す説明図である。
【図７】同平面説明図である。
【図８】第２の実施形態にかかる概略側断面図である。
【符号の説明】
【００６２】
１  河川
２  水路
２ａ  側面
２ｂ  底面
３  ゲート
５  扉体
５ａ  連通開口
６  扉体昇降装置
７  ゲート躯体
９  合流口
１０  連通ガイド筒
１０ａ  接合面
１１  フラップ弁
１２  土木構造体
１３  ガイドレール
１４  水中ポンプ
１５  スライド杆
１５ａ  スライド部
１６  スライド杆
１６ａ  スライド部
１７  スタンド部
１８  吐出口部
１８ａ  接合面
２０  架台
２１  チェーンブロック
２２  チェーン
【図１】
2007211451.tif 000003
【図２】
2007211451.tif 000004
【図３】
2007211451.tif 000005
【図４】
2007211451.tif 000006
【図５】
2007211451.tif 000007
【図６】
2007211451.tif 000008
【図７】
2007211451.tif 000009
【図８】
2007211451.tif 000010